(57)【要約】【課題】外部装置のアプリ変更を必要とすることなく、印刷媒体の発行をリアルタイムに報知することができる印刷装置および印刷装置の制御方法、並びに印刷システムを提供する。【解決手段】印刷データおよびカッタコマンドを含む印刷ジョブを送信する外部装置３から、印刷ジョブを受信する印刷ジョブ受信手段と、印刷ジョブに含まれる印刷データに基づいて、長尺状の印刷媒体に印刷を行う印刷手段２６と、カッタコマンドにより、印刷媒体を幅方向にカットするカット手段２７と、カット手段２７によるカット動作と同期して、印刷媒体をカットした旨の報知を行う報知手段２８と、を備えた。【選択図】図５
2010042630.tif 000002
【特許請求の範囲】
【請求項１】
印刷データおよびカッタコマンドを含む印刷ジョブを送信する外部装置から、前記印刷ジョブを受信する印刷ジョブ受信手段と、
前記印刷ジョブに含まれる前記印刷データに基づいて、長尺状の印刷媒体に印刷を行う印刷手段と、
前記カッタコマンドにより、前記印刷媒体を幅方向にカットするカット手段と、
前記カット手段によるカット動作と同期して、前記印刷媒体をカットした旨の報知を行う報知手段と、を備えたことを特徴とする印刷装置。
【請求項２】
前記カット手段は、複数のカットパターンを有すると共に、
前記カッタコマンドは、前記複数のカットパターンに対応した複数種類のカッタコマンドを有し、
前記報知手段は、
前記カッタコマンドの種類に応じて、異なる報知パターンで報知を行うことを特徴とする請求項１に記載の印刷装置。
【請求項３】
前記印刷ジョブから前記カッタコマンドを検出する検出手段を備えたことを特徴とする請求項１または２に記載の印刷装置。
【請求項４】
前記検出手段は、前記印刷ジョブから、予め定められた特定データをさらに検出し、
前記報知手段は、
前記カッタコマンドを検出した前記印刷ジョブに含まれる前記特定データに応じて、異なる報知パターンで報知を行うことを特徴とする請求項３に記載の印刷装置。
【請求項５】
前記報知手段は、電子音を発生することにより報知を行なうことを特徴とする請求項１ないし４のいずれか１項に記載の印刷装置。
【請求項６】
請求項１ないし５のいずれか１項に記載の印刷装置と、前記外部装置と、から構成されることを特徴とする印刷システム。
【請求項７】
印刷データおよびカッタコマンドを含む印刷ジョブを受信し、
前記印刷ジョブに含まれる前記印刷データに基づいて、長尺状の印刷媒体に印刷を行い、
前記印刷ジョブに含まれる前記カッタコマンドにより、前記印刷媒体を幅方向にカット動作をするとともに、
前記カット動作と同期して、前記印刷媒体をカットした旨の報知を行うことを特徴とする印刷装置の制御方法。
【発明の詳細な説明】
【技術分野】
【０００１】
本発明は、長尺状の印刷媒体に印刷を行うと共に、印刷媒体の印刷済み部分の切断を行う印刷装置および印刷装置の制御方法、並びに印刷システムに関するものである。
【背景技術】
【０００２】
従来、レストランや飲食店の厨房等において、調理指示の伝票を印刷するためのキッチンプリンタが知られている。例えば、特許文献１には、連続紙に画像を印刷する画像印刷機構、連続紙を排出する排出口、連続紙を切断するカッタブレードおよび外部装置（ハンディターミナルや電子キャッシュレジスタ等）と通信を行う情報通信部により構成されたキッチンプリンタ（プリンタ装置）が記載されている。このキッチンプリンタは、外部装置から注文情報（印刷要求）を受信すると、連続紙に調理メニュー等を印刷し、その後、カッタブレードにより当該連続紙を所定の長さに切断する。これにより、厨房の調理者に調理指示を行うための調理指示伝票を発行する。
【０００３】
ところで、上記のキッチンプリンタを用いた場合、調理者が忙しい場合等には、調理指示伝票が発行されたことに気付かないことが考えられる。これを解決する手段として、例えば、特許文献２に記載されているように、外部装置（ホストコンピュータ）からプリンタに対して音声要求情報を送信し、この音声要求情報に基づいて、プリンタ側で音声出力して報知し、聴覚を介して注意を促すことが考えられる。
【特許文献１】特開平６−２１８９９９号公報
【特許文献２】特許第３２６８７１５号公報
【発明の開示】
【発明が解決しようとする課題】
【０００４】
しかしながら、特許文献１に記載のキッチンプリンタに特許文献２の音声出力の方法を適用した場合、外部装置からキッチンプリンタに対して、調理指示伝票を発行するための指示とは別に、音声出力のための指示を行わなければ成らない。このため、調理伝票の発行処理と音声出力の処理とが別となるため、調理伝票の発行と音声による報知とを同期することができない。つまり、調理伝票の発行と音声出力とにタイムラグが発生するため、調理伝票の発行をリアルタイムに報知できないという問題がある。特に、外部装置とキッチンプリンタとを接続するネットワークが混雑している場合等は、このタイムラグが顕著になることが考えられる。また、既存の（特許文献１に記載の）キッチンプリンタに音声出力機能を搭載するためには、外部装置のアプリ変更が必要となり、導入コストが嵩むといった問題があった。
【０００５】
本発明は、上記の問題に鑑みたものであり、外部装置のアプリ変更を必要とすることなく、印刷媒体の発行をリアルタイムに報知することができる印刷装置および印刷装置の制御方法、並びに印刷システムを提供することを目的とする。
【課題を解決するための手段】
【０００６】
本発明の印刷装置は、印刷データおよびカッタコマンドを含む印刷ジョブを送信する外部装置から、印刷ジョブを受信する印刷ジョブ受信手段と、印刷ジョブに含まれる印刷データに基づいて、長尺状の印刷媒体に印刷を行う印刷手段と、カッタコマンドにより、印刷媒体を幅方向にカットするカット手段と、カット手段によるカット動作と同期して、印刷媒体をカットした旨の報知を行う報知手段と、を備えたことを特徴とする。
【０００７】
この構成によれば、印刷媒体のカット動作と同期して印刷媒体をカットした旨を報知することができるため、結果として印刷物の発行をリアルタイムに報知することができる。
特に、飲食店やレストラン等の厨房に設置されるキッチンプリンタに適用することで、調理者に対して適切なタイミングで調理指示伝票の発行を知らせることができるため、調理開始の遅延防止等の観点からみて効果的である。
また、外部装置は報知を行うための特別なコマンドを追加する必要がないため、外部装置のアプリ変更をすることなく実現でき、導入コストを抑えることができる。
なお、報知手段は、外部装置等へコマンドや信号を送って、報知を行っても良い。
【０００８】
本発明の印刷装置において、カット手段は、複数のカットパターンを有すると共に、カッタコマンドは、複数のカットパターンに対応した複数種類のカッタコマンドを有し、報知手段は、カッタコマンドの種類に応じて、異なる報知パターンで報知を行うことが好ましい。
【０００９】
この構成によれば、印刷媒体のカットパターンの種類に応じて（カッタコマンドの種類に応じて）、異なる報知パターンで報知することができる。これにより、この報知により現在のカット状況を容易に把握することができる。なお、カットパターンとしては、印刷媒体の一部を残してカットを行う部分カット（パーシャルカット）や、印刷媒体を完全にカットする全カット等が想定される。
例えば、レストラン等の厨房で用いられる調理指示伝票の発行に際しては、１のテーブルから複数種類の料理が注文された場合、料理の種類（調理品目）毎に印刷媒体の一部を残してカットを行い（部分カット）、注文の最後に印刷媒体を完全に切断して（全カット）１つの調理指示伝票を発行する。この場合、部分カットと全カットとを異なる報知パターンで報知することで、調理者は調理指示伝票のカット状況を把握でき、結果として１テーブル当たりの注文状況を把握することができる。
【００１０】
本発明の印刷装置において、印刷ジョブからカッタコマンドを検出する検出手段を備えたことが好ましい。
【００１１】
また、本発明の印刷装置において、検出手段は、予め定められた特定データをさらに検出し、報知手段は、カッタコマンドを検出した印刷ジョブに含まれる特定データに応じて、異なる報知パターンで報知を行うことが好ましい。
【００１２】
これらの構成によれば、カッタコマンドを検出することで、報知手段による報知の準備を行うことができる。また、印刷ジョブに含まれる特定データに応じて、異なる報知パターンで報知することができるため、この報知により、印刷された内容を容易に把握することができる。なお、特定データとしては、カラー印刷を示す情報、拡大文字印刷を示す情報、太文字印刷を示す情報、および特定の文字列を示す情報等が考えられる。
【００１３】
本発明の印刷装置において、報知手段は、電子音を発生することにより報知を行なうことが好ましい。
【００１４】
この構成によれば、電子音による鳴動により、印刷物の発行を報知することができる。例えば、本発明の印刷装置をキッチンプリンタとして使用する場合、調理者が忙しく、キッチンプリンタを視認することができない場合でも、容易に印刷物（調理指示伝票）が発行されたことを把握することができる。
【００１５】
本発明の印刷システムは、上記に記載の印刷装置と、外部装置と、から構成されることを特徴とする。
【００１６】
この構成によれば、外部装置から印刷装置へ送信される既存のカッタコマンド（印刷媒体をカットするための指示コマンド）の検出をトリガとして、印刷媒体のカットと同期して、印刷媒体をカットした旨を報知することができる印刷システムを提供することができる。
【００１７】
本発明の印刷装置の制御方法は、印刷データおよびカッタコマンドを含む印刷ジョブを受信し、前記印刷ジョブに含まれる前記印刷データに基づいて、長尺状の印刷媒体に印刷を行い、前記印刷ジョブに含まれる前記カッタコマンドにより、前記印刷媒体を幅方向にカット動作をするとともに、前記カット動作と同期して、前記印刷媒体をカットした旨の報知を行うことを特徴とする。
【００１８】
この方法によれば、印刷媒体のカット動作と同期して印刷媒体をカットした旨を報知することができるため、結果として印刷物の発行をリアルタイムに報知することができる。
特に、飲食店やレストラン等の厨房に設置されるキッチンプリンタに適用することで、調理者に対して適切なタイミングで調理指示伝票の発行を知らせることができるため、調理開始の遅延防止等の観点からみて効果的である。
また、特別なコマンドを追加する必要がないため、外部装置のアプリ変更をすることなく実現でき、導入コストを抑えることができる。
【発明を実施するための最良の形態】
【００１９】
以下、添付の図面に基づいて、本発明の一実施形態に係る印刷装置および印刷システムについて説明する。なお、本実施形態では、印刷装置をキッチンプリンタとして用い、飲食店やレストラン等の厨房に対して調理指示伝票を発行するための調理伝票発行システムに適用した例を挙げて説明する。
【００２０】
図１は、本実施形態に係る調理伝票発行システム１の制御ブロック図である。図１に示すように、本実施形態の調理伝票発行システム１は、飲食店やレストラン等の厨房に設置され、調理者に対して調理指示を行うための伝票（以下、「調理指示伝票Ｄ（印刷物）」と称す。）を発行するキッチンプリンタ２（印刷装置）と、オーダリング端末等の外部端末（図示省略）から入力された顧客の注文情報を管理すると共に、当該注文情報に基づく調理指示伝票Ｄを印刷するための印刷ジョブを生成する注文管理サーバ３（外部装置）と、から構成されている。そして、キッチンプリンタ２と注文管理サーバ３とは、ネットワークＮＴ（有線／無線を問わず）を介して接続されている。
【００２１】
注文管理サーバ３は、ＣＰＵ１１（Central Processing Unit）、ＲＯＭ１２（Read Only Memory）、ＲＡＭ１３（Random Access Memory）、ＨＤＤ１４（Hard Disk Drive）、通信部１５の他、一般的なパーソナルコンピュータに搭載されるハードウェア構成を有している。ＣＰＵ１１は、注文管理サーバ３の動作全体を制御するものであり、制御プログラム（オペレーティングシステム（ＯＳ）１４ａ等）や各種アプリケーションを実行する。
【００２２】
ＨＤＤ１４は、オペレーティングシステム１４ａの他、注文管理アプリケーション１４ｂおよびプリンタドライバ１４ｃを記憶している。注文管理アプリケーション１４ｂは、注文情報の管理や、調理指示伝票Ｄを印刷するための印刷ジョブを生成するものである。プリンタドライバ１４ｃは、オペレーティングシステム１４ａとキッチンプリンタ２との橋渡しを行うものである。通信部１５は、キッチンプリンタ２と通信を行うための通信手段として機能する。
【００２３】
ＣＰＵ１１は、注文管理アプリケーション１４ｂを実行することにより、外部端末（オーダリング端末等）から入力された注文情報に基づいて、調理指示情報（印刷データ）を作成する。そして、ＣＰＵ１１は、作成した調理指示情報と、印刷制御コマンド（印刷に関する制御命令）とから成る印刷ジョブを生成し、通信部１５を介し、キッチンプリンタ２に対して当該印刷ジョブを送信する。
【００２４】
この調理指示情報には、テーブル番号、調理対象となる料理名、料理の数量の他、特別な調理が必要な旨を示す特別調理情報（例えば、「わさび抜き」や「大盛り」等の情報）が含まれている。この特別調理情報には、料理名や数量などとは異なる形式で印刷すべく、例えば、カラー印刷を示す情報（カラー印刷情報）、拡大文字印刷を示す情報（拡大文字印刷情報）、および太文字印刷を示す情報（太文字印刷情報）等が付加されている（これら付加される情報を総称して、「特定コマンド（特定データ）」とする。）。
【００２５】
また、印刷制御コマンドとしては、上記の特定コマンドの他、ロール紙（印刷媒体）を紙送りするための紙送りコマンド、およびロール紙を切断するカッタコマンド等がある。さらに、カッタコマンドには、ロール紙の幅方向の一部を残してカットを行う部分カッタコマンド（パーシャルカッタコマンド）や、ロール紙を幅方向に完全にカットする全カッタコマンド等、複数種類のカットパターンに対応したコマンドがある。
【００２６】
キッチンプリンタ２は、ＣＰＵ２１、ＲＯＭ２２、ＲＡＭ２３、フラッシュＲＯＭ２４、通信部２５、印刷部２６（印刷手段）、切断部２７（カット手段）および報知部２８を備えている。ＲＯＭ２２は、ＣＰＵ２１が各種処理を実行するための制御プログラムや制御データを記憶する。ＲＡＭ２３は、ＣＰＵ２１が各種処理を実行する際の作業領域として利用される。
【００２７】
通信部２５は、注文管理サーバ３と通信を行う通信手段として機能する。ＣＰＵ２１は、通信部２５を介して注文管理サーバ３から調理指示伝票Ｄを印刷するための印刷ジョブを受信する（印刷ジョブ受信手段）。印刷部２６は、受信した印刷ジョブに含まれる調理指示情報に基づいて、ロール紙に調理指示内容を印刷する印刷手段として機能する。
【００２８】
切断部２７は、印刷したロール紙をカットするものであり、印刷ジョブに含まれるカッタコマンドに基づいて、ロール紙の部分カット（部分カッタコマンド受信時）および全カット（全カッタコマンド受信時）を行う。図２に示すように、切断部２７は、固定刃３１と、固定刃３１と略平行に配置された可動刃３２と、可動刃３２を駆動する駆動モータ３３と、可動刃３２の位置を検出する位置検出センサ３４により構成されている。
【００２９】
可動刃３２は、その刃先３２ａに略逆三角形のスリット３５が形成されると共に、Ｔ字状の支持フレーム３６により支持されている。この支持フレーム３６の軸部３７には、歯切りが施されており、この軸部３７と、駆動モータ３３のピニオン３８とは噛み合うよう構成されている。そして、駆動モータ３３の駆動に伴いピニオン３８が回転することで支持フレーム３６が上下に移動し、これにより、可動刃３２は固定刃３１と交差するように上下に摺動して、これら固定刃３１および可動刃３２の間に通したロール紙（印刷媒体）を切断する。
【００３０】
位置検出センサ３４は、部分カットセンサ３４ａおよび全カットセンサ３４ｂを有しており、これらセンサ３４ａ、３４ｂを用いて支持フレーム３６（可動刃３２）の位置を決めることで、ロール紙の部分カットまたは全カットを実現する。具体的には、部分カットセンサ３４ａにより支持フレーム３６が検出できなくなる位置まで可動刃３２を移動させることで、可動刃３２のスリット３５部分にロール紙の一部が残るようにカットする。これにより、ロール紙の部分カットを行う。一方、全カットセンサ３４ｂにより支持フレーム３６が検出できなくなる位置まで可動刃３２を移動させることで、ロール紙の全カットを行う。
【００３１】
図１の説明に戻る。報知部２８は、所謂ブザー２８ａであり、後述する報知パターンＰ（図３参照）に基づいて、ブザー２８ａから電子音を発生させる。ＣＰＵ２１は、カッタコマンドの実行をトリガとして（同期して）、当該ブザー２８ａを鳴動させる。ブザー２８ａの電子音で聴覚的に報知することで、調理者が忙しく、キッチンプリンタ２を視認することができない場合でも、容易に調理指示伝票Ｄが発行されたことを把握することができる。
【００３２】
フラッシュＲＯＭ２４は、テーブル記憶領域４１を有し、テーブル記憶領域４１には、報知パターンテーブル４２および報知パターン対応テーブル４３が記憶されている。図３（ａ）に示すように、報知パターンテーブル４２には、異なる電子音でブザー２８ａを鳴動させるための複数の報知パターンＰ（Ｐ１〜Ｐ８）が登録されている。そして、これら報知パターンＰ（Ｐ１〜Ｐ８）は、ブザー２８ａの音量、ブザー２８ａの音程（音の高低）、ブザー２８ａを鳴らす回数、およびブザー２８ａを鳴らす時間等の項目から構成されている。
【００３３】
また、図３（ｂ）に示すように、報知パターン対応テーブル４３には、カッタコマンドの種類（部分カッタコマンド／全カッタコマンド）、および調理指示情報に含まれる特定コマンドの種類に応じて、報知パターンＰ（Ｐ１〜Ｐ８）が関連付けられている（但し、本実施形態では、調理指示情報には複数の特定コマンドが含まれないものとする）。これにより、カッタコマンドの種類および特定コマンドの種類に応じて、異なる報知パターンＰでブザー２８ａを鳴動することができ、ブザー２８ａの鳴動の違いにより、カット状況（どのようなパターンでカットされたか）、あるいは調理指示情報（印刷内容）を容易に把握することができる。
【００３４】
以上の構成により、ＣＰＵ２１は、注文管理サーバ３から印刷ジョブを受信すると、当該印刷ジョブに基づいて調理指示伝票Ｄの印刷を実行する。この時、ＣＰＵ２１は、調理指示情報の特定コマンドを検出する。そして、ＣＰＵ２１は、調理指示情報に続くカッタコマンドを検出すると、当該カッタコマンドを実行してロール紙のカットを実行すると共に、これと同期して検出した特定コマンドの種類および当該カッタコマンドの種類に対応した報知パターンＰで、ブザー２８ａを鳴動させる。つまり、ＣＰＵ２１は、カッタコマンドをトリガとして、ロール紙のカットとブザー２８ａの鳴動とを同時に実行する。
【００３５】
なお、１つの印刷ジョブ中に、カッタコマンドが複数存在する場合、各カッタコマンドの実行と同期して鳴動させるブザー２８ａの報知パターンＰは、そのカッタコマンドの検出よりも前に処理した調理指示情報に含まれる特定コマンドの種類と当該カッタコマンドの種類によって決定される。
【００３６】
例えば、図４に示すように、３つのカッタコマンドが含まれる印刷ジョブを実行して調理指示伝票Ｄ１を発行する場合、キッチンプリンタ２（ＣＰＵ２１）は、最初の調理指示情報Ｍ１に含まれる特定コマンド（太文字印刷）を検出し、最初のカッタコマンドＣ１（部分カッタコマンド）による部分カットの実行と同期して、特定コマンド（太文字印刷）および部分カッタコマンドに対応した報知パターンＰ６（図２参照）でブザー２８ａを鳴動する。
【００３７】
次に、キッチンプリンタ２は、２番目の調理指示情報Ｍ２に含まれる特定コマンド（拡大文字印刷）を検出し、２番目のカッタコマンドＣ２（部分カッタコマンド）による部分カットの実行と同期して、特定コマンド（拡大文字印刷）および部分カッタコマンドに対応した報知パターンＰ７（図２参照）でブザー２８ａを鳴動する。
【００３８】
さらに、キッチンプリンタ２は、３番目の調理指示情報Ｍ３に含まれる特定コマンド（特定コマンドなし）を検出し、３番目のカッタコマンドＣ３（全カッタコマンド）による全カットの実行と同期して、特定コマンド（なし）および全カッタコマンドに対応した報知パターンＰ１（図２参照）でブザー２８ａを鳴動する。これにより、キッチンプリンタ２から、同図に示すような、２ヶ所を部分カットした調理指示伝票Ｄ１を発行することができる。
【００３９】
次に、図５のフローチャートを参照して、調理指示伝票Ｄの発行を報知する手順（キッチンプリンタ２の制御方法）について説明する。まず、キッチンプリンタ２は、注文管理サーバ３から印刷ジョブを受信し（Ｓ０１）、当該印刷ジョブに基づいて調理指示伝票Ｄの発行処理（印刷処理）を開始する（Ｓ０２）。この発行処理において、キッチンプリンタ２は、印刷ジョブに含まれる調理指示情報の中の特定コマンドを検出し、当該特定コマンドを抽出する（Ｓ０３，検出手段）。
【００４０】
続いて、キッチンプリンタ２は、印刷ジョブに含まれるカッタコマンドを検出する（Ｓ０４，検出手段）。この検出をトリガとして、キッチンプリンタ２は、検出したカッタコマンドに基づくカットパターン（全カット／部分カット）でロール紙のカットを実行すると共に（Ｓ０５）、このカット動作と同期して、検出（抽出）した特定コマンドの種類および当該カッタコマンドの種類に対応した報知パターンＰで、ブザー２８ａを鳴動する（Ｓ０６）。
【００４１】
カット動作後、キッチンプリンタ２が、印刷ジョブの完了を示すコマンドを検出した場合（Ｓ０７；Ｙｅｓ）、調理指示伝票Ｄの発行処理を終了する（Ｓ０８）。一方、印刷ジョブの完了を示すコマンドを検出しない場合（Ｓ０７；Ｎｏ）、キッチンプリンタ２は、Ｓ０３からＳ０６までの処理を繰り返し実行する。つまり、キッチンプリンタ２は、印刷ジョブの完了を示すコマンドを検出するまで、Ｓ０３からＳ０６までの処理を繰り返し行い、印刷ジョブの完了を検出した時点で調理指示伝票Ｄの発行処理を終了する。
【００４２】
以上のように、本実施形態によれば、ロール紙（印刷媒体）のカット動作と同期してロール紙をカットした旨をブザー２８ａの鳴動により報知することができる。つまり、調理者に対して調理指示伝票Ｄ（印刷物）の発行をリアルタイムに（適切なタイミングで）報知することができるため、調理開始の遅延防止等の観点からみて効果的である。
【００４３】
なお、本実施形態の調理伝票発行システム１は、あくまでも一例であり、例えば、本発明の印刷システムをＰＯＳシステムに適用することも可能である。この場合、レシートのカット動作と同期して、音による報知を行うことができるため、店員に対して、適切なタイミングでレシート発行を通知することができる。
【００４４】
また、本実施形態の注文管理サーバ３に相当する外部装置に、報知を行うための特別なコマンドを追加する必要がないため、外部装置のアプリケーションを変更することなく実現でき、導入コストを抑えることができる。
【００４５】
また、本実施形態では、ブザー２８ａを用いて、音により報知を行っているが、これに限るものではない。例えば、カッタコマンドによるカット動作と同期してインジケータ（ランプ）を明滅させて視覚的に報知するようにしても良いし、あるいは、ブザー２８ａとインジケータを併用して報知するようにしても良い。
【００４６】
また、図３に示す報知パターンＰや、報知パターンＰと、カッタコマンドの種類および特定コマンドの種類と、の対応付けはあくまでも一例であり、これに限るものではない。
【００４７】
また、調理指示情報に複数の特定コマンドが含まれる場合は、最初に検出した特定コマンドに基づいて報知パターンＰを決定するようにしても良いし、最後に検出した特定コマンドに基づいて報知パターンＰを決定するようにしても良い。あるいは、特定コマンドに優先度を付け、検出した特定コマンドの内、優先度の高いものに基づいて報知パターンを決定するようにしても良い。
【００４８】
また、上記の実施例では、調理指示情報に含まれる特定コマンドに基づいて報知パターンＰを決定したが、コマンド以外のデータ（「わさび抜き」や「大盛り」といった文字列など）に基づいて報知パターンＰを決定するようにしても良い。さらに、カッタコマンド以外の印刷制御コマンドに基づいて（紙送りコマンドの有無など）報知パターンＰを決定するようにしても良い。
【００４９】
また、上述した実施例によらず、調理伝票発行システム１の装置構成や処理工程、およびキッチンプリンタ２の機器構成、処理工程および制御方法等について、本発明の要旨を逸脱しない範囲で、適宜変更も可能である。
【図面の簡単な説明】
【００５０】
【図１】本発明の一実施形態に係る調理伝票発行システムの制御ブロック図である。
【図２】報知パターンテーブルおよび報知パターン対応テーブルを説明する図である。
【図３】印刷ジョブ実行におけるカット動作およびブザーによる報知の一例について説明する図である。
【図４】切断部の構造を説明する図である。
【図５】調理指示伝票の発行を報知する手順について説明するフローチャートである。
【符号の説明】
【００５１】
１…調理伝票発行システム  ２…キッチンプリンタ  ３…注文管理サーバ  ２６…印刷部  ２７…切断部  ２８…報知部  ２８ａ…ブザー  Ｐ…報知パターン
【図１】
2010042630.tif 000003
【図２】
2010042630.tif 000004
【図３】
2010042630.tif 000005
【図４】
2010042630.tif 000006
【図５】
2010042630.tif 000007